【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
第１情報表示手段と、
第２情報表示手段と、
ＭＡＸベットランプと、
ＭＡＸベットスイッチと、
内部抽せん手段と
を備え、
遊技区間として、第１区間と、第２区間とを有し、
第１区間では、第１情報表示手段にストップスイッチの有利な操作態様に関する情報が表示されないよう構成されており、
第１区間では、第２情報表示手段にストップスイッチの有利な操作態様に関する情報が表示されないよう構成されており、
第２区間では、第１情報表示手段にストップスイッチの有利な操作態様に関する情報が表示される場合があるよう構成されており、
第２区間では、第２情報表示手段にストップスイッチの有利な操作態様に関する情報が表示される場合があるよう構成されており、
第２区間であって、最小遊技時間が経過している所定の状況にて内部抽せん手段により特定抽せん結果が決定された遊技において、第１情報表示手段にストップスイッチの有利な操作態様に関する情報が表示された後に、第２情報表示手段にストップスイッチの有利な操作態様に関する情報が表示されるよう構成されており、
第２区間であって、最小遊技時間が経過していない特定の状況にて内部抽せん手段により前記特定抽せん結果が決定された遊技において、第２情報表示手段にストップスイッチの有利な操作態様に関する情報が表示された後に、第１情報表示手段にストップスイッチの有利な操作態様に関する情報が表示される場合を有するよう構成されており、
内部抽せん手段により所定抽せん結果が決定された遊技では、遊技者の停止操作が受け付けられたことに基づいて、所定図柄組合せが停止され得るよう構成されており、
前記所定図柄組合せが停止された場合は、前記所定図柄組合せに対応した数の遊技媒体が付与され得るよう構成されており、
或る状況における所定の遊技にて内部抽せん手段により前記所定抽せん結果が決定され、その後当該所定の遊技の次回の遊技に関するベット数が「０」であり、貯留数表示手段に貯留数の表示として所定数が表示されている状況ではＭＡＸベットランプは点灯されており、その後投入口に遊技媒体が１枚投入される場合において、当該遊技媒体が投入された以降の第１のタイミングでは、ＭＡＸベットスイッチの操作によるベットはできないがＭＡＸベットランプは点灯されており、その後の第２のタイミングでは、ＭＡＸベットスイッチの操作によるベットは可能でありＭＡＸベットランプは点灯されているよう構成されている
ことを特徴とする遊技機。
【手続補正２】
【補正対象書類名】明細書
【補正対象項目名】０００４
【補正方法】変更
【補正の内容】
【０００４】
このような回胴式遊技機においては、裏箱内にメダルが散乱している状態で、前扉を閉めると、前扉と裏箱との間にメダルが挟み込まれることがあり、前扉をスムーズに閉じることができなくなることがある。
このため、前扉を閉じる際におけるメダルの挟み込みを防止することができる遊技機の提供が望まれている。
また、円滑に遊技を進行できる遊技機の提供が望まれている。
【手続補正３】
【補正対象書類名】明細書
【補正対象項目名】０００５
【補正方法】変更
【補正の内容】
【０００５】
本態様に係る遊技機は、
第１情報表示手段と、
第２情報表示手段と、
ＭＡＸベットランプと、
ＭＡＸベットスイッチと、
内部抽せん手段と
を備え、
遊技区間として、第１区間と、第２区間とを有し、
第１区間では、第１情報表示手段にストップスイッチの有利な操作態様に関する情報が表示されないよう構成されており、
第１区間では、第２情報表示手段にストップスイッチの有利な操作態様に関する情報が表示されないよう構成されており、
第２区間では、第１情報表示手段にストップスイッチの有利な操作態様に関する情報が表示される場合があるよう構成されており、
第２区間では、第２情報表示手段にストップスイッチの有利な操作態様に関する情報が表示される場合があるよう構成されており、
第２区間であって、最小遊技時間が経過している所定の状況にて内部抽せん手段により特定抽せん結果が決定された遊技において、第１情報表示手段にストップスイッチの有利な操作態様に関する情報が表示された後に、第２情報表示手段にストップスイッチの有利な操作態様に関する情報が表示されるよう構成されており、
第２区間であって、最小遊技時間が経過していない特定の状況にて内部抽せん手段により前記特定抽せん結果が決定された遊技において、第２情報表示手段にストップスイッチの有利な操作態様に関する情報が表示された後に、第１情報表示手段にストップスイッチの有利な操作態様に関する情報が表示される場合を有するよう構成されており、
内部抽せん手段により所定抽せん結果が決定された遊技では、遊技者の停止操作が受け付けられたことに基づいて、所定図柄組合せが停止され得るよう構成されており、
前記所定図柄組合せが停止された場合は、前記所定図柄組合せに対応した数の遊技媒体が付与され得るよう構成されており、
或る状況における所定の遊技にて内部抽せん手段により前記所定抽せん結果が決定され、その後当該所定の遊技の次回の遊技に関するベット数が「０」であり、貯留数表示手段に貯留数の表示として所定数が表示されている状況ではＭＡＸベットランプは点灯されており、その後投入口に遊技媒体が１枚投入される場合において、当該遊技媒体が投入された以降の第１のタイミングでは、ＭＡＸベットスイッチの操作によるベットはできないがＭＡＸベットランプは点灯されており、その後の第２のタイミングでは、ＭＡＸベットスイッチの操作によるベットは可能でありＭＡＸベットランプは点灯されているよう構成されている
ことを特徴とする遊技機である。
＜付記＞
尚、本態様とは異なる別態様について以下に列記しておくが、これらには何ら限定されることなく実施することが可能である。
本別態様に係る遊技機は、
正面側が開口した箱状の基体と、
基体の開口を開閉可能な前扉と、
遊技媒体払出装置と、
遊技媒体払出装置から払い出された遊技媒体を受ける受け部と、
前扉の裏面側に設けられ、遊技媒体払出装置から払い出された遊技媒体を受け部に導く所定連絡通路と、
前扉センサと、
を備え、
前扉が施錠された閉鎖状態の状況下からこの閉鎖状態の前扉が開錠されて基体から特定距離だけ離間している特定の開放位置では前扉センサの検出信号により前扉の開放を検知せず、
前扉が施錠された閉鎖状態の状況下からこの閉鎖状態の前扉が開錠されて基体から所定距離だけ離間している所定の開放位置では前扉センサの検出信号により前扉の開放を検知し、
特定の開放位置において、遊技媒体払出装置から払い出された遊技媒体は、所定連絡通路を介して受け部に導かれ得るように構成されており、
所定の開放位置において、遊技媒体払出装置から払い出された遊技媒体は、所定連絡通路を介して受け部に導かれ得るように構成されており、
前扉が閉鎖状態の状況下で、基体における前扉側の底部（以後、単に「基体底部」という。）には、前扉における基体側の底部（以後、単に「前扉底部」という。）に向けて張り出した第１片を設け、
前扉が閉鎖状態の状況下で、前扉底部には、基体底部に向けて張り出した第２片を設け、
前扉が閉鎖状況の状況下で、第１片及び第２片は互いに重なり合う位置関係であり、
前扉が所定の開放状態の状況下でも、第１片及び第２片は互いに重なり合う位置関係であるよう構成されており、
前扉が閉鎖状態の状況下で、第１片と第２片との隙間は、遊技媒体の厚さよりも大きくなるよう構成されている
ことを特徴とする遊技機である。
【手続補正４】
【補正対象書類名】明細書
【補正対象項目名】０００６
【補正方法】変更
【補正の内容】
【０００６】
本態様に係る遊技機によれば、前扉を閉じる際におけるメダルの挟み込みを防止することができ、円滑に遊技を進行できる遊技機を提供することができる、という効果を奏する。